(57)【要約】【課題】両腕または両脚にマッサージ具本体を装着している場合でも、異常発生時に迅速にマッサージ具本体による身体への押圧を解除できるようにしたマッサージ装置を提供する。【解決手段】マッサージ装置１は、第１及び第２マッサージ具本体１０Ａ、１０Ｂ並びに空気供給チューブ集合体１３からなるマッサージ具１４と、空気供給チューブ集合体１３が接続された空気供給装置１６とを備える。各空気供給チューブ１２は共通流路部分２２から第１及び第２分岐流路部分２６、２８に分岐している。第２分岐流路部分２８には異常時分断部６６が配置されている。使用者が両腕を開いて第１及び第２マッサージ具本体１０Ａ、１０Ｂを互いに離れるようにすると、第２分岐流路部分２８に引張力が加わり、各異常時分断部６６が分断されて空気供給チューブ１２の流路が開放される。これにより、異常発生時に空気室１８ａ−ｈを除圧して両腕への押圧を迅速に解除できる。【選択図】図１
2019198486.tif 000002
【特許請求の範囲】
【請求項１】
空気室を有し両腕のそれぞれまたは両脚のそれぞれに装着される第１及び第２マッサージ具本体と該空気室に加圧空気を供給するための空気供給装置との間に接続される、空気圧式のマッサージ装置のための空気供給チューブであって、
空気供給装置に接続される共通流路部分と、
該共通流路部分から分岐して延び、第１マッサージ具本体の空気室と第２マッサージ具本体の空気室とにそれぞれ接続される第１及び第２分岐流路部分と、
異常発生時に該第１及び第２マッサージ具本体が装着されている腕又は脚を動かして当該空気供給チューブに引張力を加えることにより分断されて当該空気供給チューブの流路を開放するようにされた異常時分断部と
を備える空気供給チューブ。
【請求項２】
該異常時分断部が該第１及び第２分岐流路部分のうちの少なくとも一方に配置された、請求項１に記載の空気供給チューブ。
【請求項３】
該流路の一部を構成する分断用ニップルと、該流路の一部を構成し一端が該分断用ニップルの周りに同軸状にして装着された分断用チューブとを有しており、該分断用ニップルと該分断用チューブが該異常時分断部を構成し、該異常時分断部に加わる該引張力によって該分断用チューブが該分断用ニップルから外れて該流路が開放されるようになっている、請求項１又は２に記載の空気供給チューブ。
【請求項４】
該分断用チューブが、該空気供給チューブの他の部分よりも柔軟なチューブである、請求項３に記載の空気供給チューブ。
【請求項５】
該空気供給チューブが、第１乃至第３接続部を有し該共通流路部分を該第１及び第２分岐流路部分に分岐する分岐コネクタを備え、
該共通流路部分が、空気供給装置から該第１接続部にまで延びる共通部分チューブ部材を有し、
該第１分岐流路部分が、該第２接続部から延びて該第１マッサージ具本体の空気室に接続される第１分岐チューブ部材を有し、
該第２分岐流路部分が、該分断用チューブと、該分断用チューブの他端と該第２マッサージ具本体の空気室とに接続される第２分岐チューブ部材とを有し、
該分岐コネクタの該第３接続部が該分断用ニップルを構成している、請求項３又は４に記載の空気供給チューブ。
【請求項６】
請求項１乃至５のいずれか一項に記載の空気供給チューブを複数備え、各空気供給チューブが第１マッサージ具本体と第２マッサージ具本体との各対の空気室にそれぞれ接続されるようにされた、空気供給チューブ集合体であって、
各空気供給チューブの該共通流路部分と該第１分岐流路部分と該第２分岐流路部分とのうちの少なくとも該異常時分断部が設けられている流路部分が互いに連結されている、空気供給チューブ集合体。
【請求項７】
空気室を有し両腕のそれぞれまたは両脚のそれぞれに装着される第１及び第２マッサージ具本体と該空気室に加圧空気を供給するための空気供給装置との間に接続される、空気圧式のマッサージ装置のための空気供給チューブであって、
当該空気供給チューブを該空気供給装置に着脱可能に接続するチューブ接続部を備え、
該チューブ接続部が、異常発生時に該第１及び第２マッサージ具本体を装着している腕又は脚を動かして当該空気供給チューブに引張力を加えることにより該空気供給装置から外れて当該空気供給チューブの流路を開放するようにされた異常時分断部を構成している、空気供給チューブ。
【請求項８】
人の両腕のそれぞれ、または両脚のそれぞれに装着される第１及び第２マッサージ具本体であって、各マッサージ具本体が加圧空気により膨張し当該マッサージ具本体が装着された腕または脚を押圧する空気室を有する第１及び第２マッサージ具本体と、
請求項１乃至５及び７のいずれか一項に記載の空気供給チューブ又は請求項６に記載の空気供給チューブ集合体と、
該空気供給チューブに接続され、該各マッサージ具本体の空気室に加圧空気を供給するための空気供給装置と、
を備えるマッサージ装置。
【発明の詳細な説明】
【技術分野】
【０００１】
本発明は、加圧空気により空気室を膨脹・収縮させることによって、腕又は脚を押圧してマッサージするようにされた空気圧式のマッサージ装置、及び空気圧式のマッサージ装置においてマッサージ具本体と空気供給装置との間に接続される空気供給チューブに関する。
【背景技術】
【０００２】
空気圧式のマッサージ装置は、空気室が設けられたマッサージ具本体を使用者が装着し、空気室に対して加圧空気を順次供給及び排気することにより空気室を周期的に膨張及び収縮させて身体の所定部位に対するマッサージを行なうようにするものである。マッサージ具本体は、マッサージする部位に合せた形状とされ、例えば腕に装着するようにしたものや、特許文献１に示されているように脚に装着するようにしたものなどがある。
【先行技術文献】
【特許文献】
【０００３】
【特許文献１】特開２０１５−１０５８７９号公報
【発明の概要】
【発明が解決しようとする課題】
【０００４】
空気圧式のマッサージ装置は身体を直接押圧するものであるため、高い安全性が求められる。例えば加圧空気を供給するための空気供給装置が誤作動して空気室に過大な圧力が加わったり、使用者の設定ミスで想定していたよりも大きな圧力が加わったり、または使用者の具合が悪くなったりした場合などの異常発生時に、迅速に空気室を除圧してマッサージ具本体による身体への押圧を解除できるようになっていることが求められる。片脚または片腕だけにマッサージ具本体を装着している場合には、異常発生時にも空気供給装置を操作するなどして装置を停止させることは比較的に容易にできる。しかしながら、両腕にマッサージ具本体を装着している場合には空気供給装置を手で操作することはできないし、また両脚にマッサージ具本体を装着している場合には空気供給装置の場所まで移動できないこともある。
【０００５】
そこで本発明は、両腕または両脚にマッサージ具本体を装着している場合でも、異常発生時に迅速にマッサージ具本体による身体への押圧を解除できるようにしたマッサージ装置を提供することを目的とする。
【課題を解決するための手段】
【０００６】
すなわち本発明は、
空気室を有し両腕のそれぞれまたは両脚のそれぞれに装着される第１及び第２マッサージ具本体と該空気室に加圧空気を供給するための空気供給装置との間に接続される、空気圧式のマッサージ装置のための空気供給チューブであって、
空気供給装置に接続される共通流路部分と、
該共通流路部分から分岐して延び、第１マッサージ具本体の空気室と第２マッサージ具本体の空気室とにそれぞれ接続される第１及び第２分岐流路部分と、
異常発生時に該第１及び第２マッサージ具本体が装着されている腕又は脚を動かして当該空気供給チューブに引張力を加えることにより分断されて当該空気供給チューブの流路を開放するようにされた異常時分断部と
を備える空気供給チューブを提供する。
【０００７】
当該空気供給チューブにおいては、マッサージ具本体が装着された腕又は脚を動かして空気供給チューブに引張力を加えることにより異常時分断部が分断されて流路が開放されるようになっている。流路が大気に開放されることにより、空気供給装置から供給される加圧空気は異常時分断部から大気中に放出され、また接続されているマッサージ具本体の空気室内の加圧空気も異常時分断部から大気中に放出されて空気室が除圧されるようになるため、マッサージ具本体による身体への押圧が解除されるようにすることができる。すなわち当該空気供給チューブを使用すれば、マッサージ具本体が装着されている腕又は脚を動かすという単純な動作により空気室を除圧できるため、異常発生時に迅速にマッサージ具本体による腕又は脚への押圧を解除できるようにすることが可能となる。
【０００８】
好ましくは、該異常時分断部が該第１及び第２分岐流路部分のうちの少なくとも一方に配置されているようにすることができる。
【０００９】
このような構成により、第１及び第２マッサージ具本体を互いに離れる方向に動かすことで当該空気供給チューブの第１及び第２分岐流路部分に引張力が加わって異常時分断部を分断することができる。すなわち、マッサージ具本体が装着されている両腕または両脚を開くようにするだけで流路を分断することができるため、より迅速にマッサージ具本体による押圧を解除することが可能となる。
【００１０】
具体的には、該流路の一部を構成する分断用ニップルと、該流路の一部を構成し一端が該分断用ニップルの周りに同軸状にして装着された分断用チューブとを有しており、該分断用ニップルと該分断用チューブが該異常時分断部を構成し、該異常時分断部に加わる該引張力によって該分断用チューブが該分断用ニップルから外れて該流路が開放されるようにすることができる。
【００１１】
より具体的には、該分断用チューブが、該空気供給チューブの他の部分よりも柔軟なチューブであるようにすることができる。
【００１２】
さらに具体的には、
該空気供給チューブが、第１乃至第３接続部を有し該共通流路部分を該第１及び第２分岐流路部分に分岐する分岐コネクタを備え、
該共通流路部分が、空気供給装置から該第１接続部にまで延びる共通部分チューブ部材を有し、
該第１分岐流路部分が、該第２接続部から延びて該第１マッサージ具本体の空気室に接続される第１分岐チューブ部材を有し、
該第２分岐流路部分が、該分断用チューブと、該分断用チューブの他端と該第２マッサージ具本体の空気室とに接続される第２分岐チューブ部材とを有し、
該分岐コネクタの該第３接続部が該分断用ニップルを構成しているようにすることができる。
【００１３】
本発明はまた、
上述のいずれかの空気供給チューブを複数備え、各空気供給チューブが第１マッサージ具本体と第２マッサージ具本体との各対の空気室にそれぞれ接続されるようにされた、空気供給チューブ集合体であって、
各空気供給チューブの該共通流路部分と該第１分岐流路部分と該第２分岐流路部分とのうちの少なくとも該異常時分断部が設けられている流路部分が互いに連結されている、空気供給チューブ集合体を提供する。
【００１４】
当該空気供給チューブ集合体においては、複数の空気供給チューブのうちのいずれかのみが引っ張られたときに他のチューブにも引張力が作用して全ての異常時分断部が略一緒に分断されるようにすることができる。これにより、当該空気供給チューブ集合体に接続されたマッサージ具本体の全ての空気室の除圧が実質的に同時に行なわれるようにすることが可能となる。
【００１５】
本発明はさらに、
空気室を有し両腕のそれぞれまたは両脚のそれぞれに装着される第１及び第２マッサージ具本体と該空気室に加圧空気を供給するための空気供給装置との間に接続される、空気圧式のマッサージ装置のための空気供給チューブであって、
当該空気供給チューブを該空気供給装置に着脱可能に接続するチューブ接続部を備え、
該チューブ接続部が、異常発生時に該第１及び第２マッサージ具本体を装着している腕又は脚を動かして当該空気供給チューブに引張力を加えることにより該空気供給装置から外れて当該空気供給チューブの流路を開放するようにされた異常時分断部を構成している、空気供給チューブを提供する。
【００１６】
当該空気供給チューブにおいては、装着しているマッサージ具本体を動かしてチューブ接続部を引っ張ることによりチューブ接続部が空気供給装置から外れて流路が開放されるようになっている。これにより、上述の空気供給チューブと同様に、空気供給装置から供給される加圧空気は大気中に放出され、また空気室内も除圧されて、マッサージ具本体による腕又は脚への押圧が解除されるようにすることができる。よって当該空気供給チューブを使用すれば、マッサージ具本体が複数の空気室を有している場合において、該マッサージ具本体を動かすという単純な動作により、異常発生時に迅速にマッサージ具本体による押圧を解除するようにすることが可能となる。
【００１７】
さらに本発明は、
人の両腕のそれぞれ、または両脚のそれぞれに装着される第１及び第２マッサージ具本体であって、各マッサージ具本体が加圧空気により膨張し当該マッサージ具本体が装着された腕または脚を押圧する空気室を有する第１及び第２マッサージ具本体と、
請求項１乃至５及び７のいずれか一項に記載の空気供給チューブ又は請求項６に記載の空気供給チューブ集合体と、
該空気供給チューブに接続され、該各マッサージ具本体の空気室に加圧空気を供給するための空気供給装置と、
を備えるマッサージ装置を提供する。
【００１８】
以下、本発明に係る空気圧式のマッサージ装置の実施形態を添付図面に基づき説明する。
【図面の簡単な説明】
【００１９】
【図１】本発明の一実施形態に係る空気圧式のマッサージ装置の使用状態を示す図である。
【図２】空気供給チューブとマッサージ具本体との接続部分の断面図である。
【図３】空気供給チューブの分岐部及び異常時分断部を示す斜視図であり、異常時分断部が接続されている状態を示す図である。
【図４】図３の分岐部及び異常時分断部の断面図である。
【図５】空気供給チューブの分岐部及び異常時分断部を示す斜視図であり、異常時分断部が分断された状態を示す図である。
【図６】図５の分岐部及び異常時分断部の断面図である。
【発明を実施するための形態】
【００２０】
図１に示すように、本発明に係る空気圧式のマッサージ装置１は、両腕のそれぞれに装着される第１マッサージ具本体１０Ａ及び第２マッサージ具本体１０Ｂと、各マッサージ具本体１０Ａ、１０Ｂに接続された複数の空気供給チューブ１２からなる空気供給チューブ集合体１３とを有するマッサージ具１４を備える。マッサージ装置１はさらに、空気供給チューブ集合体１３が接続された空気供給装置１６を備える。第１マッサージ具本体１０Ａには４つの空気室１８ａ−ｄが設けられており、第２マッサージ具本体１０Ｂにも同様に４つの空気室１８ｅ−ｈが設けられている。各空気室１８ａ−ｈと空気供給装置１６との間は各空気供給チューブ１２の流路２０により連通されている。第１マッサージ具本体１０Ａの空気室１８ａ−ｄと第２マッサージ具本体１０Ｂの空気室１８ｅ−ｈとはそれぞれ対となっている。具体的には、空気室１８ａと空気室１８ｅ、空気室１８ｂと空気室１８ｆ、空気室１８ｃと空気室１８ｇ、空気室１８ｄと空気室１８ｈ、がそれぞれ対となっており、各対の空気室は対応する空気供給チューブ１２の流路２０（図４）によって連通しており、空気供給装置１６から各流路２０を通って供給される加圧空気によりそれぞれ膨張される。空気供給装置１６は、予め設定されたパターンで各対の空気室に対して加圧空気を順次供給及び排出する。これにより各対の空気室が所定のパターンで周期的に膨張及び収縮し、膨張・収縮する各空気室１８ａ−ｈによって両腕を押圧して両腕に対するマッサージを行なうようになっている。
【００２１】
各空気供給チューブ１２は、空気供給装置１６から延びる共通流路部分２２と、共通流路部分２２から分岐コネクタ２４において分岐する第１分岐流路部分２６及び第２分岐流路部分２８とを備える。第１分岐流路部分２６は第１マッサージ具本体１０Ａにまで延び第２分岐流路部分２８は第２マッサージ具本体１０Ｂにまで延びている。また空気供給チューブ集合体１３にはチューブ接続部３０が取り付けられており、空気供給チューブ集合体１３はチューブ接続部３０により空気供給装置１６に着脱可能に接続されている。
【００２２】
各空気供給チューブ１２の第１分岐流路部分２６と第１マッサージ具本体１０Ａとは、図２に示すチューブコネクタ３２により接続されている。チューブコネクタ３２は第１ニップル３４、第２ニップル３６、及び第３ニップル３８を有する。第１ニップル３４は、空気供給チューブの第１分岐流路部分２６に接続されている。第２ニップル３６は、閉止キャップ４０により閉止されている。第３ニップル３８は、第１マッサージ具本体１０Ａに固定されたソケット４２に挿入されて接続されている。本実施形態においてはチューブコネクタ３２とソケット４２はともに樹脂製であり、第３ニップル３８をソケット４２内に圧入することによって第３ニップル３８のエッジ部４４がソケット４２に係止されるようになっている。このようにしてチューブコネクタ３２とソケット４２とは密封した状態で接続される。ソケット４２は第１マッサージ具本体１０Ａの内側に形成された空気室１８ａ−ｄのうちの一つに連通している。したがって、チューブコネクタ３２をソケット４２に接続することにより、第１ニップル３４に接続された空気供給チューブ１２とそれに対応する空気室とが連通した状態となる。第１マッサージ具本体１０Ａには、各空気室１８ａ−ｄに対応して４つのチューブコネクタ３２が設けられている。各空気供給チューブ１２の第２分岐流路部分２８と第２マッサージ具本体１０Ｂの間も同様な４つのチューブコネクタ３２により接続されている。
【００２３】
各空気供給チューブ１２を分岐している分岐コネクタ２４は、上述のチューブコネクタ３２と同一形状のものとされ、図３及び図４に示すように、第１ニップル（第１接続部）４６と、第２ニップル（第２接続部）４８と、第３ニップル（第３接続部）５０とを有する。各空気供給チューブ１２の共通流路部分２２は、空気供給装置１６に接続されたチューブコネクタ３２から第１ニップル４６にまで延びる共通部分チューブ部材５２を有し、第１分岐流路部分２６は第２ニップル４８から延びて第１マッサージ具本体１０Ａの空気室１８ａ−ｄにチューブコネクタ３２を介して接続された第１分岐チューブ部材５４を有する。第２分岐流路部分２８は、第３ニップル５０に一端５８ａが接続されて流路２０の一部を構成する分断用チューブ５８と、分断用チューブ５８の他端５８ｂに両ニップル６０を介して接続されるとともに第２マッサージ具本体１０Ｂの空気室１８ｅ−ｈにチューブコネクタ３２を介して接続された第２分岐チューブ部材５６とを有する。各第２分岐チューブ部材５６は、分断用チューブ５８に近い位置では連結部６２によって互いに連結されている。第１分岐チューブ部材５４も同様に分岐コネクタ２４に近い位置で互いに連結され、共通部分チューブ部材５２はその略全体が互いに連結されている。
【００２４】
分岐コネクタ２４の第３ニップル５０はそのエッジ部６４がやや丸みを帯びた形状とされた分断用ニップル５０を構成している。また分断用チューブ５８は空気供給チューブ１２の他の部分よりも柔軟なシリコンゴム製のチューブであり、分断用ニップル５０の周りに同軸状にして装着されている。このように分断用ニップル５０のエッジ部６４が丸みを帯びた形状であり、分断用チューブ５８が柔軟なチューブであることから、分断用チューブ５８と分断用ニップル５０との間の接続は他の接続部分に比べて外れやすくなっている。したがって、第２分岐チューブ部材５６を引っ張って分断用チューブ５８に引張力が加わると、図５及び図６に示すように、分断用チューブ５８と分断用ニップル５０との間が分断される。また、第２分岐チューブ部材５６が互いに連結されているため、４つの第２分岐チューブ部材５６のうちの何れかが引っ張られると他の第２分岐チューブ部材５６も一緒に引っ張られることになり、全ての分断用チューブ５８と分断用ニップル５０とが略一緒に分断される。なお、一旦分断された分断用チューブ５８と分断用ニップル５０は、分断用チューブ５８に分断用ニップル５０を挿入することにより再度連結できる。
【００２５】
当該マッサージ装置１においては、分断用ニップル５０と分断用チューブ５８とにより異常時分断部６６が構成され、異常発生時に異常時分断部６６を分断することにより、空気室１８ａ−ｆを除圧できるようになっている。具体的には、異常発生時に第１マッサージ具本体１０Ａと第２マッサージ具本体１０Ｂとが装着されている腕を開いて空気供給チューブの第１分岐流路部分２６と第２分岐流路部分２８とをピンと張った状態にして第２分岐流路部分２８に引張力を加えることにより、分断用チューブ５８が分断用ニップル５０から外れて分断され流路２０が開放されるようになっている。使用時にこのようにして流路２０が開放されることにより、空気供給装置１６から各マッサージ具本体１０Ａ、１０Ｂに共有される加圧空気は異常時分断部６６から大気中に放出され、各空気室１８ａ−ｈ内に供給されていた加圧空気も異常時分断部６６から大気中に放出される。これにより、各マッサージ具本体１０Ａ、１０Ｂによる両腕への押圧が解除される。すなわち当該マッサージ装置１においては、使用者自身が両腕を開くという単純な動作により各空気室１８ａ−ｈを除圧することができるため、空気供給装置１６が誤作動して空気圧に過大な圧力がかかったり、使用者の設定ミスで想定していたよりも大きな圧力がかかったり、または使用者の具合が悪くなったりした場合などの異常発生時に、第１及び第２マッサージ具本体１０Ａ、１０Ｂによる両腕への押圧を迅速に解除することが可能となる。なお、人によって異常時分断部６６の分断操作を行いやすい第１マッサージ具本体１０Ａと第２マッサージ具本体１０Ｂとの間の距離は異なるが、分断用チューブ５８の長さを変更することによりその距離を適宜調整することができる。
【００２６】
当該マッサージ装置１においてはさらに、チューブ接続部３０が比較的に弱い力でも空気供給装置１６から外れるようになっており、第１マッサージ具本体１０Ａと第２マッサージ具本体１０Ｂとのうちの少なくとも一方を空気供給装置１６から遠ざけるように動かして空気供給チューブ１２に引張力を加えることによって、チューブ接続部３０を空気供給装置１６から外すことができるようにもなっている。すなわち、チューブ接続部３０がもう一つの異常時分断部を構成している。
【００２７】
以上に本発明の実施形態について説明をしたが、本発明はこの実施形態に限定されるものではない。例えば、上記実施形態においては、両腕用のマッサージ装置としているが両脚用のマッサージ装置としてもよい。また、異常時分断部は、第２分岐流路部分の分岐コネクタから離れた位置に配置してもよいし、第１分岐流路部分に配置してもよい。又は共通流路部分に配置することもできる。さらには上記実施形態においては、分断用チューブと分断用ニップルとで構成される異常時分断部と、チューブ接続部により構成される異常時分断部とを両方とも備えているが、分断用チューブと分断用ニップルとで構成される異常時分断部を有している場合にはチューブ接続部は異常時分断部を構成せず簡単には外れない構造とし、チューブ接続部が異常時分断部を構成している場合には分断用チューブと分断用ニップルとで構成される異常時分断部を無くしてもよい。空気供給チューブに設けられた異常時分断部が分断用チューブと分断用ニップルとからなる構成であることは単なる例示であり、他の分断しやすい構成により異常時分断部を構成することもできる。
【符号の説明】
【００２８】
１  マッサージ装置
１０Ａ  第１マッサージ具本体
１０Ｂ  第２マッサージ具本体
１２  空気供給チューブ
１３  空気供給チューブ集合体
１４  マッサージ具
１６  空気供給装置
１８ａ−ｈ  空気室
２０  流路
２２  共通流路部分
２４  分岐コネクタ
２６  第１分岐流路部分
２８  第２分岐流路部分
３０  チューブ接続部
３２  チューブコネクタ
３４  第１ニップル
３６  第２ニップル
３８  第３ニップル
４０  閉止キャップ
４２  ソケット
４４  エッジ部
４６  第１ニップル（第１接続部）
４８  第２ニップル（第２接続部）
５０  第３ニップル（第３接続部）、分断用ニップル
５２  共通部分チューブ部材
５４  第１分岐チューブ部材
５６  第２分岐チューブ部材
５８  分断用チューブ
５８ａ  一端
５８ｂ  他端
６０  両ニップル
６２  連結部
６４  エッジ部
６６  異常時分断部
【図１】
2019198486.tif 000003
【図２】
2019198486.tif 000004
【図３】
2019198486.tif 000005
【図４】
2019198486.tif 000006
【図５】
2019198486.tif 000007
【図６】
2019198486.tif 000008